(57)【要約】【課題】  美観を損ねることなく、強風及び微風等に対しても十分な貫流効率を有し、容易に製造することができる傘のろくろ及び傘を提供することを目的とする。【解決手段】  略円柱状に形成されたろくろ本体２０に、傘の内側と外側を貫通する流路２１であって、ろくろ本体２０の底部に形成された流路２１の一端から流入した空気の流れる方向を変えて、傘の外側に形成された他端から空気を流出させる略鉤型の流路２１を複数本形成することとする。
0003138172.tif 000002
【実用新案登録請求の範囲】
【請求項１】
傘の骨を支持するろくろ本体と、
前記ろくろ本体に形成された、前記傘の内側と外側を貫通する流路であって、前記流路の一方から流入した空気の流れる方向を変えて他端から流出させる流路とを備えたことを特徴とするろくろ。
【請求項２】
前記流路は、前記ろくろ本体表面に設けられた第１の開口を始点とする第１の流路と、
当該ろくろ本体表面に設けられた第２の開口を始点とする第２の流路とが連続的に接続されると共に、略鉤型に形成されているものであって、
前記第１の流路、又は第２の流路の一方の流路は前記傘の軸と略平行に形成されていることを特徴と請求の範囲第１項記載のろくろ。
【請求項３】
前記傘の外側に形成された前記ろくろ本体の表面に、外光反射板が設置されていることを特徴とする請求の範囲第１項乃至請求の範囲第２項の何れかの項に記載のろくろ。
【請求項４】
前記ろくろ本体の内部は、前記傘の重心を前記ろくろ部材近傍に移動させる重りを有することを特徴とする請求の範囲第１項乃至請求の範囲第３項の何れかの項に記載のろくろ。
【請求項５】
前記ろくろ本体の頂部表面は、略平面に形成され、傘を起置できることを特徴とする請求の範囲第４項に記載のろくろ。
【請求項６】
前記ろくろ内部には、前記流路内部に形成されているブレードに受けた圧力を電力に変換する変換装置と、
前記変換装置に接続されると共に、前記傘の外側に形成された前記ろくろ本体の表面に形成されている発光装置とを有することを特徴とする請求の範囲第１項乃至請求の範囲第５項の何れかの項に記載のろくろ。
【請求項７】
前記ろくろは、第一の流路が形成された第一の部材と、
第二の流路が形成された第二の部材とを有するものであって、
前記第一の部材と前記第二の部材は、第一の流路と第二の流路が連続的に接続されるように接着されていることを特徴とする請求の範囲第２項乃至請求の範囲第６項の何れかの項に記載のろくろ。
【請求項８】
ろくろ本体に形成された、前記傘の内側と外側を貫通する流路であって、前記流路の一から流入した空気の流れる方向を変えて他端に流出させる流路を有するろくろを備えたことを特徴とする傘。
【考案の詳細な説明】
【技術分野】
【０００１】  本発明は、通風機能を有する傘のろくろ、及び傘に関する。
【背景技術】
【０００２】  従来、傘を開くことで、ユーザに対して雨や日差しが直接当たることを防止していた。【０００３】  しかし、傘を開くことで上方から降る雨を防ぐことができるが、それと同時に、下方から流れてくる空気を逃がすことができないという不都合が生じていた。傘の内側に、例えばビル風等の強風が吹き込むと、傘の風を受ける面積が大きいことに起因して傘は、煽りを受けてしまう。この様な強風による煽りを受けた傘を、ユーザが保持することはしばしば困難である。また、傘の骨が傘布より受ける力が、傘の骨の座屈強度を超えると、傘の骨に座屈が発生する。さらに力が加わると、全ての骨は傘布を介して連結されているため、１本の骨の座屈によって、連鎖的に全ての骨に座屈が生じ、結果として皿型の傘布が反転してしまい、傘の破損の原因になってしまう。さらに、傘の内部に空気が篭ってしまうため、ユーザに対して不快感を与えるという問題があった。【０００４】  これらの問題を解決する手段として特許文献１、特許文献２、特許文献３、特許文献４、及び特許文献５が開示されている。【０００５】
【特許文献１】実開平２−６６１１２公報
【特許文献２】特開平１０−６６６１３公報
【特許文献３】特開平１１−１６９２１６公報
【特許文献４】特開平１１−２０６４２９公報
【特許文献５】特開平１１−３３２６２４公報
【０００６】  具体的には、この特許文献１に開示されている傘は、傘の頂上部に垂直方向に穴を開けた部材を取り付けることで、風を傘の上部に逃がし、傘布に係る風力を緩和することとしている。【０００７】  また、特許文献２に開示されている傘は、傘の半密閉空間で傘の中棒に風の流入口を形成し、中棒の上部先端に風の流出口を形成すると共に、流出口近傍に天蓋を取り付けることとしている。【０００８】  また、特許文献３に開示されている傘は、傘の頂部近傍の傘布に開口を形成し、当該開口の上に防水素材からなる蓋を、一部開口を有する様に接着している。【０００９】  また、特許文献４に開示されている傘は、傘本体の傘布の頂部付近に穴を開け、当該穴を覆う様にさらに別の傘布を被せる。穴を覆っている傘布と、本体の間には弾性体が固定されている。傘が風による煽りを受けると、穴を覆っている傘布が風圧力によって、本体の傘布から離反し、風が通り抜ける開口が形成される。そして風が収まると、弾性体が作用することによって、穴を覆っている傘布は、風圧力を受ける前の状態に戻ることとしている。【００１０】  また、特許文献５に開示されている傘は、穴を複数個有する傘布において、当該穴の上から、例えば二等辺三角形状の開閉布を被せ、当該開閉布の２辺を傘布に張設することとしている。【００１１】  しかし、特許文献１に開示されている傘は、垂直方向に穴を開けているため、雨が穴から侵入してくる恐れがある。また、傘の頂上部に開口が設けられているため、美観を損なうものであると共に、損なった美観を、意匠等を施して回復することが困難であるという問題があった。【００１２】  また、特許文献２に開示されている傘は、中棒の上部先端に設けられた流出口から流出した風が外部に流出するまでの経路が複雑なため、十分な貫流効率を得ることができないという問題があった。【００１３】  また、特許文献３、及び特許文献５に開示されている傘において、傘の頂部付近に接着した蓋は、表面に付着した雨の重量で垂れ下がることを防止するために、ある程度の張力を与えられている必要がある。すなわち、蓋に予め与えられた張力に対抗できる程度の力が作用しなければ蓋は開口しないこととなり、微風等に対しては、なんら効果を有さないという問題があった。【００１４】  また、特許文献４に開示されている傘も、特許文献３に開示されている傘と同様に、弾性体の張力に対抗できる程度の力が作用しなければ蓋は開口しないこととなり、微風等に対しては、なんら効果を有さないという問題があった。【００１５】  さらに、特許文献３、特許文献４、及び特許文献５に開示されている傘は、傘布に開口部を施した上で、それぞれに蓋を張設していくという煩雑な工程を経なければならないという問題があった。
【考案の開示】
【００１６】  そこで、本発明はこのような実情を鑑みてなされたものであり、美観を損ねることなく、十分な貫流効率を有するものであって、微風等に対しても十分な効力を発揮し、煩雑な工程を経ることなく製造することができる傘のろくろ、及び傘を提供することを目的とする。
【００１７】  本発明に係るろくろは、傘の骨を支持するろくろ本体と、前記ろくろ本体に形成された、前記傘の内側と外側を貫通する流路であって、前記流路の一方から流入した空気の流れる方向を変えて他端から流出させる流路とを備えたことを特徴とする。
【００１８】  この構成によれば、傘の内側に流入した空気を、傘の外側と連結した流路を通じて傘の外側に流出させることができる。
【００１９】  同様に、例えば流路を曲げることで、傘の外側から雨が流入してくることを防止することができる。
【００２０】  同様に、流路を通じて空気が傘の外側へ流出することによって、空気が流出するときに圧力を必要としない。すなわち、微風等であっても容易に傘の外側に流出することができる。
【００２１】  本発明に係るろくろに形成された流路は、前記ろくろ本体表面に設けられた第１の開口を始点とする第１の流路と、当該ろくろ本体表面に設けられた第２の開口を始点とする第２の流路とが連続的に接続されると共に、略鉤型に形成されたものであって、前記第１の流路、又は第２の流路の一方の流路は前記傘の軸と略平行に形成されていることを特徴としている。
【００２２】  この構成によれば、流路を略鉤型に形成することで、流路の形状により発生する形状損失を低下させ、十分な貫流効率を得ることができる。
【００２３】  同様に、ろくろ本体に、傘の軸と平行な流路がないため、ろくろ本体の頂部に意匠を施すことができ、美観を損なうことを防止することができる。
【００２４】  上述した方法で、ろくろを形成することにより、美観を損ねることなく、十分な貫流効率を有するものであって、微風等に対しても十分な効力を発揮し、煩雑な工程を経ることなく製造することができる傘のろくろを提供することができる。同様に、風圧力による傘の煽りが革命的に減少するため、安定した歩行、及び傘によるユーザ又は他の歩行者に対する加害を回避することができる。
【図面の簡単な説明】
【００２５】
【図１】第一の実施の形態として示す傘の構造図である。
【図２】第一の実施の形態として示すろくろの断面斜視図である。
【図３】第二の実施の形態として示す２部材からなるろくろの断面斜視図である。
【図４】第三の実施の形態として示すろくろ、及びろくろを有する傘の中棒の断面斜視図である。
【図５】第四の実施の形態として示すろくろの断面斜視図である。
【図６】第五の実施の形態として示すろくろの断面斜視図である。
【図７】第六の実施の形態として示すろくろの断面斜視図である。
【図８】第七の実施の形態として示すろくろの断面斜視図である。
【図９】（ａ）本発明に係るろくろの実施の態様を示す立面図である。（ｂ）本発明に係るろくろの実施の態様を示す断面図である。
【考案を実施するための最良の形態】
【００２６】  以下、本発明を適用した具体的な実施の形態について図面を参照しながら詳細に説明する。【００２７】  以下、図面を参照しながら第一の実施の形態について説明する。また、説明の便宜上、ＸＹＺ座標軸を用いるものとし、風は−Ｙ方向からＹ方向に向かって吹いているものとする。【００２８】  図１は、第一の実施の形態として示す傘の構造図である。【００２９】  第一の実施の形態として示す傘１は、傘１を保持するための取手２と、ユーザの上部に、皿型に張り巡らすことで雨がユーザに当たることを防ぐ傘布３と、傘布３に張力を与えることで、傘布３を皿型に維持する骨４と、傘１の中心部で傘布３及び骨４を集約し、固定すると共に、ろくろ本体５と、ろくろ本体５及び取っ手２に固定されている中棒６によって構成されている。【００３０】  図２は、第一の実施の形態における、ろくろ本体５の断面斜視図である。【００３１】  ろくろ本体５は、略円柱状の形状をしており、複数の流路２１と、ろくろ本体５の表面にＹ軸周り全周に形成された第１の溝２２と、第１の溝２２と直交すると共に、ろくろ本体５の表面に一定の幅を有するＹ方向に形成された複数の第２の溝２３によって形成されている。【００３２】  ろくろ本体５の底面は、傘の内部に接触する様に形成されていると共に、上面及び側面の上方は傘の外部に接触する様に形成されている。流路２１は、略鉤型に形成されていると共に、皿型に形成された傘布３の内部に風の流入口２４と、傘布３の外側に風の流出口２５の２つの開口を有している。また、流入口２４は、ろくろ本体５の底面の中心部周辺に形成されており、流入口２４を始点として傘１の軸に平行に、かつ、略鉤型の直角部がろくろ本体５のＹ方向中心部近傍に形成されている。さらに、流出口２５は、当該直角部からろくろ本体５の側面までの距離が最短の箇所におけるろくろ本体５の表面に形成されている。【００３３】  この場合において流路２１は、例えば直角に形成されていることが好ましい。流路２１の曲部を介して連続している流路２１が鋭角を形成する場合、空気の貫流効率が曲部において発生する形状損失によって低下してしまい、鈍角を形成する場合、空気の貫流効率は向上するが、雨が進入してくるおそれがあるからである。【００３４】  また、図２において示すろくろ本体５は、垂直方向の断面が略台形になっているが、ろくろ本体５が有する断面の形状は図２に示すものに限定する必要は無く、例えば、長方形又は三角形といった標準形状や、対称性を有さない多角形といった変形状であっても良い。【００３５】  次に、それぞれの第２の溝２３に、骨４の一端を各１本ずつ遊挿する。このとき、第２の溝２３に遊挿する骨４の一端には、先端が略半円形に形成されていると共に、当該半円の略中心に通し穴４１が形成されている。第２の溝２３に遊挿された骨４は、通し穴４１に針金３４を通し、第２の溝２３内に押圧することで、ろくろ本体５に固定される。【００３６】  傘布３は、撥水性を有する略二等辺三角形に裁断された生地からなるコマ３１を複数枚継ぎ合わせることで形成されている。このとき、長さの異なる一辺を底辺、他の二辺を斜辺とし、底辺の長さが斜辺の長さより短いものとする。裁断したコマ３１の��辺を、隣接するコマ３１の斜辺と継ぎ合わせることで形成される。一般的には、コマ３１を８枚継ぎ合わせて傘布３を形成する。【００３７】  次に、コマ３１の頂点近傍を下方向に折り込むことでコマ３１の頂点近傍に山形を形成し、山形の頂部を第１の溝２２に遊挿し、上述した針金３４をコマ３１に押圧することでコマ３１をろくろ本体５に固定する。【００３８】  この場合において、継ぎ合わせたコマ３１の枚数と第２の溝２３の個数が同一であると共に、コマ３１の継ぎ目と第２の溝２３が、垂直方向に一致していることが好ましい。【００３９】  また、この場合において、骨４の先端を略半円形に形成することで、骨４の先端部と傘布３の接触する箇所における、傘布３の破損を防止することができる。【００４０】  傘１を差している際に、空気が傘１内部に流入したとき、流入口２４から流路２１に上方に向かって流入し、直角部で貫流方向を変えられると共に、流出口２５から外部へ流出すこととなる。【００４１】  また、流路２１は鉤型に形成されているため、経路が複雑な流路と比較して十分な貫流効率を有し、且つ、傘１の頂部からの雨の進入を防ぐことができる。【００４２】  また、ろくろ本体５の頂部に流出口を設けないことによって、ろくろ本体５の上部にデザインを施すことができる。【００４３】  同様に、ろくろ本体５の水平方向の断面積が、ろくろの頂部に流出口を設けたろくろと比較すると大きいため、ろくろ本体にかかるＹ軸方向の力に対して十分に抵抗することができる。【００４４】  第一の実施の形態に係るろくろ本体５は、プラスチック材料若しくは金属材料の成形性を有する材料、又は木材等の成形性の乏しい材料を用いて生産することができる。【００４５】  成形性を有する材料を用いてろくろ本体５の成形を行う場合、金型を用いた射出成形によって生産をすることが好ましい。また、木材等の成形性の乏しい材料を用いて生産する場合は、ドリル等の穿設手段を用いて生産することが好ましい。【００４６】  以下、本発明に係るろくろの第二の実施の形態について説明する。【００４７】  図３は、第二の実施の形態として示す２部材からなるろくろ本体を成形する場合に、各部材の形状を示す断面斜視図である。【００４８】  ２部材からなるろくろ本体５０は、第１の部材５１と第２の部材５２によって形成される。第１の部材は、前述した１部材からなるろくろと同様に内部に略鉤型の第１の流路５３を複数本有する。また、第１の部材の底部には連結手段としてのネジ雌部材５４が形成されている。流路５３は、第１の部材５１の底部と側面にそれぞれ開口を有する様に形成されている。【００４９】  また、第２の部材５２は、略円筒状の部材の内部に、当該部材より径の小さい円筒状の部材を、両者の間に第２の流路としての空隙５５が形成されるように配置し、二つの部材の間を棒状の部材によって連結されることで形成されている。また、第２の部材５２の頂部表面の外周には、段差が形成されている。また、第２の部材の中心部にはネジ雌部材５４に固定可能なネジ雄部材５６が設けられている。【００５０】  また、第二の実施の形態に係るろくろも、第一の実施の形態と同様に、第１の溝５８及び第２の溝５９が形成されているが、第一の実���の形態に係る第１の溝２２及び第２の溝２３と同一の構成を有しているので特に詳細な説明はしない。【００５１】  第１の部材５１と第２の部材５２は、ネジ雄部材５６及びネジ雌部材５４によって固定するが、固定する前に、傘布５７を第２の部材５２上に配置する。【００５２】  傘布５７は、撥水性を有する略二等辺三角形に裁断された生地からなるコマ６０を複数枚継ぎ合わせることで形成されている。このとき、長さの異なる一辺を底辺、他の二辺を斜辺とし、底辺の長さが斜辺の長さより短いものとする。裁断したコマ６０の斜辺を、隣接するコマ６０の斜辺と継ぎ合わせることで形成される。一般的には、コマ６０を８枚継ぎ合わせて傘布５７を形成する。【００５３】  コマ６０を継ぎ合わせるときコマ６０の頂点部近傍は隣接するコマ６０との継ぎ合わせを行わず、先端を折り込むか、又は切断することで、中心部に穴の開いた状態を形成する。このとき傘布５７の中心部に形成される穴の直径は、第２の部材５２の直径よりもわずかに小さいものとする。また、第２の部材５２の上に傘布５７を配置するとき、傘布５７に形成された穴の中心と、第２の部材５２の中心が略一致するように配置する。この様に配置することで、第１の部材５１と第２の部材５２をネジ雄部材５６及びネジ雌部材５４によって固定したとき、傘布５７を、第１の部材５１と第２の部材５２の外周近傍に形成された段差に挟み込むことができ、傘布５７をより強固に固定することができる。【００５４】  また、ろくろ本体５０を２部材で形成することで、前述した射出成形による成形が容易になると共に、ユーザが意匠等を施した第１の部材５１を自由に選択でき、かつ、第１の部材５１が破損してしまった場合においても、容易に取り替えることが可能になる。【００５５】  また、第一の実施の形態と同様に、流路５３は鉤型に形成されているため、経路が複雑な流路と比較して十分な貫流効率を有し、且つ、傘の頂部からの雨の進入を防ぐことができる。【００５６】  また、ろくろ本体５０の頂部に流出口を設けないことによって、ろくろ本体５０の上部にデザインを施すことができる。【００５７】  同様に、ろくろ本体５０の水平方向の断面積が、ろくろの頂部に流出口を設けたろくろと比較すると大きいため、ろくろ本体にかかるＹ軸方向の力に対して十分に抵抗することができる。【００５８】  以下、本発明に係るろくろの第三の実施の形態について説明する。【００５９】  図４は第三の実施の形態に係るろくろ、及び当該ろくろを有する傘の中棒の断面斜視図である。【００６０】  第三の実施の形態に係るろくろ本体７０は、第一の実施の形態に係るろくろ本体５と同様に、内部に複数の鉤型の第１の流路７１が形成されている。また、第一の実施の形態と同様に、ろくろ本体７０は、ろくろ本体７０の表面に形成された第１の溝７７と、第１の溝７７と直交すると共に、ろくろ本体７０の表面に一定の幅を有するＹ方向に形成された複数の第２の溝７８を有している。【００６１】  第三の実施の形態に係るろくろ本体７０は、内部に略円筒からなる中棒７２を通す穴７３が形成されている。穴７３の始点は、ろくろ本体７０の底面に形成されており、終点は、ろくろ本体７０の側面に開口を有する第１の流路７１よりも上部に形成されている。このとき、ろくろ本体７０を日傘等の日差しを遮断するための傘に用いるのであれば穴７３は、ろくろ本体７０の頂部まで貫通しているものであっても良い。【００６２】  また、ろくろ本体７０内部の第１の流路７１の直角部近傍には第１の流路７１と穴７３を連結する第２の流路７４が穿設されている。【００６３】  中棒７２の一端部近傍の表面には、複数の穴がＸ−Ｚ平面上に穿設されている。また、当該平面より−Ｙ方向のＸ−Ｚ平面にも同様に複数の穴が穿設されている。このときＹ方向にあるＸ−Ｚ平面に穿設された複数の穴を、中棒７２内部の空気が流出する流出口７５、−Ｙ方向にあるＸ−Ｚ平面に穿設された複数の穴を、中棒７２内部に空気が流入させる流入口７６とする。【００６４】  中棒７２をろくろ本体７０に挿入し固定したとき、流出口７５は、穴７３内部に遊挿されると共に第２の流路７４と連結するように形成されている。また、流入口７６は、穴７３内部に遊挿されることなく、ろくろ本体７０外部に位置するよう形成されている。【００６５】  図示せぬ傘内部に流入した空気は、第１の流路７１から流入し、外部へ流出すると同時に、流入口７６から第３の流路へ流入し、第２の流路７４を経て、流出口７５から第１の流路へ流出することで、外部へ流出することができる。【００６６】  上述した方法で、ろくろ本体７０に穴を穿設し、第３の流路の入口７６及び第３の流路の出口７５からなる第３の流路を形成することで空気の貫流効率を向上させることができる。【００６７】  また、第一の実施の形態と同様に、流路７１は鉤型に形成されているため、経路が複雑な流路と比較して十分な貫流効率を有し、且つ、傘の頂部からの雨の進入を防ぐことができる。【００６８】  また、ろくろ本体７０の頂部に流出口を設けないことによってろくろ本体７０の上部にデザインを施すことができる。【００６９】  同様に、ろくろ本体７０の水平方向の断面積が、ろくろの頂部に流出口を設けたろくろと比較すると大きいため、ろくろ本体７０にかかるＹ軸方向の力に対して十分に抵抗することができる。【００７０】  以下、本発明に係るろくろの第四の実施の形態について説明する。【００７１】  図５は第四の実施の形態に係るろくろ本体８０の頂部の近傍断面斜視図である。【００７２】  図５に示すろくろは、ろくろ本体８１及び装飾部材８７の２部材によって構成されている。【００７３】  第四の実施の形態に係るろくろ本体８１は、第一の実施の形態に係るろくろ本体５と同様に内部に複数の鉤型の第１の流路８２が形成されている。また、第一の実施の形態と同様にろくろ本体８１は、ろくろ本体８１の表面に形成された第１の溝８３と、第１の溝８３と直交すると共に、ろくろ本体８１の表面に一定の幅を有するＹ方向に形成された複数の第２の溝８４を有している。【００７４】  ろくろ本体８１の頂部中心付近には連結手段としてのネジ雄部材８５が形成されている。また、装飾部材８７の底部にはネジ雌部材８６が形成されている。【００７５】  装飾部材８７の形状は、円錐形状の部材の底面にネジ雌部材８６を形成したものであるが、例えば、略球体又は円柱状のものであっても、ネジ雄部材８５と連結可能なものであればど��様な形状であっても良い。【００７６】  また、ろくろ本体８１は、第一の実施の形態、又は第二の実施の形態に係る何れかのろくろであっても良い。【００７７】  また、流路８２を頂部まで延長すると共に、装飾部材８７に流路を形成し、２の流路を連結することで、装飾部材８７から空気を外部へ流出させるものであっても良い。【００７８】  上述した方法で、ろくろ本体８１の頂部にネジ雄部材８５を形成し、装飾部材８７を連結可能にすることで、ユーザの好みに合わせた意匠が施された装飾部材８７をろくろ本体８１に連結することができる。【００７９】  また、第一の実施の形態と同様に、流路８２は鉤型に形成されているため、経路が複雑な流路と比較して十分な貫流効率を有し、且つ、傘の頂部からの雨の進入を防ぐことができる。【００８０】  また、ろくろ本体８１の頂部に流出口を設けないことによって、ろくろ本体８１の上部にデザインを施すことができる。【００８１】  同様に、ろくろ本体８１の水平方向の断面積が、ろくろの頂部に流出口を設けたろくろと比較すると大きいためろくろ本体にかかるＹ軸方向の力に対して十分に抵抗することができる。【００８２】  以下、本発明に係るろくろの第五の実施の形態について説明する。【００８３】  図６は第五の実施の形態に係るろくろの断面斜視図である。【００８４】  ろくろ本体９０の内部構造は第一の実施の形態に係るろくろ本体５と同様に、内部に複数の鉤型の第１の流路９２が形成されている。また、第一の実施の形態と同様に、ろくろ本体９０は、ろくろ本体９０の表面に形成された第１の溝９３と、第１の溝９３と直交すると共に、ろくろ本体９０の表面に一定の幅を有するＹ方向に形成された複数の第２の溝９４を有している。【００８５】  ろくろ本体９０の頂部近傍の側面に光を反射することができる外光反射板９１を設置している。この場合において、外光反射板９１の表面は多面的に形成されており光を乱反射することができることが好ましい。【００８６】  ろくろ本体９０の頂部近傍、すなわち、傘の頂部近傍に外光反射板９１を設置することによって、車のヘッドライト等が外光反射板９１によって反射され、ドライバ等にユーザの位置を知らせることができる。すなわち、夜間でも安全に歩行することができる。【００８７】  また、第一の実施の形態と同様に、流路９２は鉤型に形成されているため経路が複雑な流路と比較して十分な貫流効率を有し、且つ、傘の頂部からの雨の進入を防ぐことができる。【００８８】  また、ろくろ本体９０の頂部に流出口を設けないことによってろくろ本体９０の上部にデザインを施すことができる。【００８９】  同様に、ろくろ本体９０の水平方向の断面積が、ろくろの頂部に流出口を設けたろくろと比較すると大きいためろくろ本体にかかるＹ軸方向の力に対して十分に抵抗することができる。【００９０】  以下、本発明に係るろくろの第六の実施の形態について説明する。【００９１】  図７は第六の実施の形態に係るろくろの断面斜視図である。【００９２】  ろくろ本体１００の内部構造は第一の実施の形態に係るろくろ本体５と同様に、内部に複数の鉤型の第１の流路１０３が形成されている。また、第一の実施の形態と同様に、ろくろ本体１００は、ろくろ���体１００の表面に形成された第１の溝１０４と、第１の溝１０４と直交すると共に、ろくろ本体１００の表面に一定の幅を有するＹ方向に形成された複数の第２の溝１０５を有している。又ろくろ本体１００の頂部１０２は、図示せぬ傘の軸とは垂直に、且つ、平面状に形成されている。また、ろくろ本体１００内部には、ある一定の重量を有する重り１０１が設置されている。【００９３】  ろくろ本体１００内部に、重り１０１を設置することで、傘の重心をろくろ本体１００に近づけることができるため傘の安定度を向上させることができる。【００９４】  また、第一の実施の形態と同様に、第１の流路１０３は鉤型に形成されているため、経路が複雑な流路と比較して十分な貫流効率を有し、且つ、傘の頂部からの雨の進入を防ぐことができる。【００９５】  また、ろくろ本体５の頂部に流出口を設けないことによってろくろ本体５の上部にデザインを施すことができる。【００９６】  同様に、ろくろ本体５の水平方向の断面積が、ろくろの頂部に流出口を設けたろくろと比較すると大きいため、ろくろ本体５にかかるＹ軸方向の力に対して十分に抵抗することができる。【００９７】  以下、本発明に係るろくろの第七の実施の形態について説明する。【００９８】  図８は第七の実施の形態に係るろくろの回路図である。【００９９】  第七の実施の形態に係るろくろは、第一の実施の形態に係るろくろと同様に、略鉤型の流路を複数有しているため、その点については詳細な説明は省略し、第一の実施の形態に係るろくろとの差異について詳細な説明をする。【０１００】  第七の実施の形態に係るろくろ本体１１０における全ての流路１１１は、ろくろ本体１１０内部で円柱状に形成された空間１１２に連結されている。また、ろくろ本体１１０内部には、軸に固定された複数のブレードを有し、当該ブレードに風圧力を受けることによって軸回りに回転する風車１１３と、圧力を電力に変換する変換装置１１４と、変換装置１１４に連結されていると共に、ろくろ本体１１０の側面に設置された発光装置１１５と、風車１１３が回転することによって発生した動力を変換装置１１４に伝達する伝達部材１１６によって形成されている。【０１０１】  ろくろ本体１１０内部に風が吹いたとき、風車１１３が軸周り方向に回転し、当該回転によって発生した動力が、伝達部材１１６によって変換装置１１４に伝達される。伝達部材１１６によって伝達された動力は、変換装置１１４内部で電力に変換される。変換装置１１４内部で変換された電力は、ろくろ本体１１０の側面に設置された発光装置１１５に供給され、発光装置１１５は発光する。【０１０２】  この場合において、発光装置１１５は発光ダイオードであることが好ましい。【０１０３】  また、変換装置１１４と発光装置１１５の間に、電力を蓄電することができる蓄電装置を接続することも可能である。【０１０４】  発光装置１１５が、風圧力によって発光することで、特に夜間の歩行中にドライバ等にユーザの位置を知らせることができる。すなわち、夜間でも安全に歩行することができる。また、電池等の電力供給源を必要としないため、ろくろ１１０を有する傘を維持のために、余分なコストがかかることがない。【０１０５】  また、第��の実施の形態と同様に、流路１１１は鉤型に形成されているため、経路が複雑な流路と比較して十分な貫流効率を有し、且つ、傘の頂部からの雨の進入を防ぐことができる。【０１０６】  また、ろくろ本体５の頂部に流出口を設けないことによって、ろくろ本体５の上部にデザインを施すことができる。【０１０７】  同様に、ろくろ本体１１０の水平方向の断面積が、ろくろの頂部に流出口を設けたろくろと比較すると大きいため、ろくろ本体にかかるＹ軸方向の力に対して十分に抵抗することができる。【０１０８】  図９において、本発明に係るろくろの実施の態様を図示する。【０１０９】  図９（ａ）は、ろくろ本体１２０の立面図であり、図９（ｂ）はＡＡ’断面における断面図である。ろくろ本体１２０は、略円錐の形状を有しており、斜面には第一の通気孔１２１が、傘の軸と垂直方向に形成されている。また、ろくろ本体１２０内部では、第１の流路１２１と第２の流路１２２が略鉤型に連結されている。また、第２の流路１２２は図示せぬ傘の内側に流入口を有するものである。【０１１０】  なお、本発明は上述した実施の形態に限定するものではなく、例えば、雨傘又は日傘以外にも、児童用の傘、大人用の傘、スポーツ用の傘、レジャー用の傘、又は傘型のテント等の用途の傘であっても、本発明の趣旨を逸脱しない範囲で適宜変更可能である。【０１１１】  特に、上述した実施の形態の記載は、ろくろに設けられる流路の数並びに形状、及びろくろの形状について数量及び形状を限定する趣旨では無い。
【図１】
0003138172.tif 000003
【図２】
0003138172.tif 000004
【図３】
0003138172.tif 000005
【図４】
0003138172.tif 000006
【図５】
0003138172.tif 000007
【図６】
0003138172.tif 000008
【図７】
0003138172.tif 000009
【図８】
0003138172.tif 000010
【図９】
0003138172.tif 000011
【手続補正書】
【提出日】平成17年7月26日(2005.7.26)
【手続補正１】
【補正対象書類名】実用新案登録請求の範囲
【補正対象項目名】全文
【補正方法】変更
【補正の内容】
【書類名】請求の範囲
【請求項１】（削除）
【請求項２】傘の骨及び傘布を支持するろくろ本体と、
前記ろくろ本体に形成された、前記傘の内側と外側を貫通する流路であって、前記流路の一端から流入した空気の流れる方向を変えて他端から流出させる流路とを備え、
前記流路は、前記ろくろ本体の内、前記傘の内部に形成される表面に設けられた前記一端から前記傘の軸と略平行に形成された第１の流路と、
当該ろくろ本体の内、前記傘の外部に形成される表面に設けられた前記他端から前記第１の流路と連続的に接続され、前記第１の流路と略鉤型を形成する第２の流路とを有し、
前記他端は、前記傘布が支持される箇所から所定の距離をもって形成されていること
を特徴とするろくろ。
【請求項３】前記傘の外側に形成された前記ろくろ本体の表面に、外光反射板が設置されていることを特徴とする請求の範囲第２項に記載のろくろ。
【請求項４】前記ろくろ本体の内部は、前記傘の重心を前記ろくろ部材近傍に移動させる重りを有することを特徴とする請求の範囲第２項に記載のろくろ。
【請求項５】前記ろくろ本体の頂部表面は、略平面に形成され、傘を起置できることを特徴とする請求の範囲第２項に記載のろくろ。
【請求項６】前記ろくろ内部には、前記流路内部に形成されているブレードに受けた圧力を電力に変換する変換装置と、
前記変換装置に接続されると共に、前記傘の外側に形成された前記ろくろ本体の表面に形成されている発光装置とを有することを特徴とする請求の範囲第２項に記載のろくろ。
【請求項７】前記ろくろは、第１の流路が形成された第１の部材と、
第２の流路が形成された第２の部材とを有するものであって、
前記第１の部材と前記第２の部材は、第１の流路と第２の流路が連続的に接続されるように固定されていることを特徴とする請求の範囲第２項に記載のろくろ。
【請求項８】請求の範囲第２項記載のろくろを備えたことを特徴とする傘。


【手続補正２】
【補正対象書類名】明細書
【補正対象項目名】０００３
【補正方法】変更
【補正の内容】
【０００３】
〔００１５〕  さらに、特許文献３、特許文献４、及び特許文献５に開示されている傘は、傘布に開口部を施した上で、それぞれに蓋を張設していくという煩雑な工程を経なければならないという問題があった。
【発明の開示】
〔００１６〕そこで、本発明はこのような実情を鑑みてなされたものであり、美観を損ねることなく、十分な貫流効率を有するものであって、微風等に対しても十分な効力を発揮し、煩雑な工程を経ることなく製造することができる傘のろくろ、及び傘を提供することを目的とする。
〔００１７〕  本発明に係るろくろは、傘の骨及び傘布を支持するろくろ本体と、前記ろくろ本体に形成された、前記傘の内側と外側を貫通する流路であって、前記流路の一端から流入した空気の流れる方向を変えて他端から流出させる流路とを備え、前記流路は、前記ろくろ本体の内、前記傘の内部に形成される表面に設けられた前記一端から前記傘の軸と略平行に形成された第１の流路と、当該ろくろ本体の内、前記傘の外部に形成される表面に設けられた前記他端から前記第１の流路と連続的に接続され、前記第１の流路と略鉤型を形成する第２の流路とを有し、前記他端は、前記傘布が支持される箇所から所定の距離をもって形成されていることを特徴とする。
〔００１８〕  この構成によれば、傘の内側に流入した空気を、傘の外側と連結した流路を通じて傘の外側に流出させることができる。
〔００１９〕      同様に、例えば流路を曲げることで、傘の外側から雨が流入してくることを防止することができる。
〔００２０〕  同様に、流路を通じて空気が傘の外側へ流出することによって、空気が流出するときに圧力を必要としない。すなわち、微風等であっても容易に傘の外側に流出することができる。
〔００２１〕
〔００２２〕  同様に、流路を略鉤型に形成することで、流路の形状により発生する形状損失を低下させ、十分な貫流効率を得ることができる。
〔００２３〕  同様に、ろくろ本体に、傘の軸と平行な流路がないため、ろくろ本体の頂部に意匠を施すことができ、美観を損なうことを防止することができる。
〔００２４〕  上述した方法で、ろくろを形成することにより、美観を損ねることなく、十分な貫流効
３